(57)【要約】【課題】  迅速なバランスウエイトの調節操作を行うことができ、バランス調整範囲も大きくすることのできる釣り竿を提供する。【解決手段】  元竿１におけるリールシート３の竿先側に位置する竿先側部分と竿尻側に位置する竿尻側部分との外周面にネジ部１Ａを形成して、バランスウエイト５を元竿１の軸線方向に沿って螺進移動自在に装着している。【選択図】        図１
2007159446.tif 000002
【特許請求の範囲】
【請求項１】
元竿におけるリールシート取付位置を挟んで竿先側に位置する竿先側部分と竿尻側に位置する竿尻側部分との外周面に、前記元竿の軸線方向に沿って移動自在なバランスウエイトを装着している釣り竿。
【請求項２】
前記元竿の外周面に、前記バランスウエイトを前記元竿の軸線方向に沿って螺進移動自在に装着するネジ部を形成している請求項１記載の釣り竿。
【請求項３】
前記リールシートに装備された一対のフードにおける少なくも一方を可動フードに構成するとともに、前記可動フードを前記元竿の軸線方向に沿って螺進移動させるナット部を、前記バランスウエイトが螺合しているネジ部に螺合させてある請求項２記載の釣り竿。
【請求項４】
前記ネジ部の表面に、ネジ部の表面に比べて摩擦係数の大きな部材を、そのネジ部の形状に沿った状態で被覆し、前記摩擦係数の大きな部材で被覆されたネジ部に対してバランスウエイトを螺合させてある請求項２又は３に記載の釣り竿。
【請求項５】
前記元竿を形成する竿素材に比べて摩擦係数の大きな部材で形成した筒状体の外周面にネジ部を形成し、その筒状体を前記元竿の外周面に外嵌装着してある請求項２又は３に記載の釣り竿。
【請求項６】
前記バランスウエイトとそのバランスウエイトを装着する元竿との少なくともいずれか一方に、前記バランスウエイトを所望位置で移動を規制するとともにその移動規制力に抗する操作力を受けて前記元竿の軸線方向に移動可能な位置決め機構を形成している請求項１記載の釣り竿。
【発明の詳細な説明】
【技術分野】
【０００１】
本発明は、バランスウエイトを備える釣り竿に関する。
【背景技術】
【０００２】
バランスウエイトを設ける理由は、リールシート部分を握って釣り操作を行う場合に、リールシートを取り付けた位置から竿尻端までとリールシートから穂先竿の先端までの重量バランスが確保されていないと、リールシート部分を握って仕掛けを投入する場合や巻上げ釣上げ操作を行う場合に、違和感を感ずることがあり、それらの操作が旨く行えない虞があった。
そこで、バランスウエイトを元竿の竿尻端の内部空間内に収納する構成を採っていた（特許文献１参照）。
【０００３】
【特許文献１】特開２０００−２６９０８４号公報（段落番号〔０００３〕、〔０００６〕、及び、図２、３，５）
【発明の開示】
【発明が解決しようとする課題】
【０００４】
バランスウエイトが竿尻端の内部空間内に収納されているので、仕掛けの錘りを取り換えて使用する場合に、バランスウエイトも取り換えたい場合があるが、その場合に尻栓を外し、中のバランスウエイトを取り換える際に、迅速な取り換え操作ができずに、苦慮することがあった。
また、バランスウエイト量を増すための予備品を装備する必要があり、その面でも煩雑さを感じさせるものであった。
さらには、リールシートより竿尻端側にバランスウエイトを設けているだけであるので、バランスの調整範囲が十分採れないこともあり、改善の余地があった。
一方、リール付き釣り竿では、リールシート取付位置を握って、釣り竿を保持し、仕掛け等を流して魚の当りを待つ間に、釣り竿のバランスを調節することが出来れば、便利である。
【０００５】
本発明の目的は、釣り操作中であっても、迅速なバランスウエイトの調節操作を行うことができ、バランス調整範囲も大きくすることのできる釣り竿を提供する点にある。
【課題を解決するための手段】
【０００６】
〔構成〕
請求項１に係る発明の特徴構成は、元竿におけるリールシート取付位置を挟んで竿先側に位置する竿先側部分と竿尻側に位置する竿尻側部分との外周面に、前記元竿の軸線方向に沿って移動自在なバランスウエイトを装着している点にあり、その作用効果は次の通りである。
【０００７】
〔作用〕
元竿の外周面側にバランスウエイトを配置してあるので、リールシート取付位置を握って釣り操作を行っている場合であっても、バランス調整が行い易い。
また、バランスウエイトを軸線方向に移動させるだけでバランス調整が行えるので、調整の為の予備のバランスウエイトを大量に装備する必要がなく、必要最小限のものに限定できる。
さらには、釣り操作を行う場合に、釣り竿を支える支点となるリールシート位置の竿先側と竿尻側とにバランスウエイトを配置してあるので、竿尻側だけにバランスウエイトを配置する場合に比べて調整範囲を広くすることができる。
【０００８】
〔効果〕
したがって、釣り操作中であっても迅速にバランス調整が行え、予備バランスウエイトを装備する必要がない分、予備品量を少なくでき予備品の仕舞い処理に苦慮することが少なくなる。
【０００９】
請求項２に係る発明の特徴構成は、請求項１に係る発明において、前記元竿の外周面に、前記バランスウエイトを前記元竿の軸線方向に沿って螺進移動自在に装着するネジ部を形成している点にあり、その作用効果は次の通りである。
【００１０】
〔作用効果〕
バランスウエイトをネジ部に螺合させて調整移動させることができるので、ネジ部のピッチに沿った細かい位置調節が可能になる。
【００１１】
請求項３に係る発明の特徴構成は、請求項２に係る発明において、前記リールシートに装備された一対のフードにおける少なくも一方を可動フードに構成するとともに、前記可動フードを前記元竿の軸線方向に沿って螺進移動させるナット部を、前記バランスウエイトが螺合しているネジ部に螺合させてある点にあり、その作用効果は次の通りである。
【００１２】
〔作用効果〕
つまり、可動フードを移動させるナット部を、バランスウエイトが螺合しているネジ部に螺合させることとする。これによって、バランスウエイトを移動させるためのネジ部と可動フードを移動させるネジ部とを兼用することができたのである。
【００１３】
請求項４に係る発明の特徴構成は、請求項２または３に係る発明において、前記ネジ部の表面に、ネジ部の表面に比べて摩擦係数の大きな部材をそのネジ部の形状に沿った状態で被覆し、前記摩擦係数の大きな部材で被覆されたネジ部に対してバランスウエイトを螺合させてある点にあり、その作用効果は次の通りである。
【００１４】
〔作用効果〕
ネジ部が摩擦係数の大きな部材で被覆されているので、バランスウエイトを調整位置で確りと止めることができ、釣り操作時に不測にバランスが変化することを抑えることができる。
調整移動させる場合には、摩擦保持力を越える操作力を付与するだけでよい。
【００１５】
請求項５に係る発明の特徴構成は、請求項２又は３に係る発明において、前記元竿を形成する竿素材に比べて摩擦係数の大きな部材で形成した筒状体の外周面にネジ部を形成し、その筒状体を前記元竿の外周面に外嵌装着してある点にあり、その作用効果は次の通りである。
【００１６】
〔作用効果〕
請求項４に係る発明においては、バランスウエイトを螺合しているネジ部に摩擦係数の大きな部材をコーティングして、バランスウエイトを動き難いものとしている。ここでは、コーティング材として利用した材料かまたはこれに相当する材料によって筒状体を形成し、その外周面にネジ部を形成することによって、ネジ部をコーティングしたものと同様の移動規制効果を発揮させることができる。
しかも、請求項４に係る発明のように、竿素材に一旦ネジ部を形成したのちコーティング処理を施すこととなると製作負担が重いものとなるが、この場合には、ネジ切り加工を施した筒状体を元竿の所定位置に装着固定するだけであるので、製作負担は軽いものとなる。
【００１７】
請求項６に係る発明の特徴構成は、前記バランスウエイトとそのバランスウエイトを装着する元竿との少なくともいずれか一方に、前記バランスウエイトを所望位置で移動を規制するとともにその移動規制力に抗する操作力を受けて前記元竿の軸線方向に移動可能な位置決め機構を形成している点にあり、その作用効果は次の通りである。
【００１８】
〔作用効果〕
請求項４では、ネジ部等にコーティング等の加工を施してバランスウエイトに対して移動規制力を発揮させる構成を採ったが、ここでは、ネジ部に加工を施す以外の位置決め機構を導入することによって、バランスウエイトに対する移動規制手段の選択幅を広げ、適宜事情に応じた対応策を講じることができるのである。
【発明を実施するための最良の形態】
【００１９】
ジグロッド等の元竿１の構成について説明する。図１（イ）に示すように、元竿１は、中間位置にリールシート３を装着するとともに竿尻端に後グリップ４を備えて構成されている。リールシート３は、竿素材２に被嵌する筒状のシートベース３Ａに固定フード３Ｂを一体形成するとともに、固定フード３Ｂの竿尻端側に可動フード３Ｃを備えて、リールを取り付け固定すべく構成されている。シートベース３Ａの竿尻端側に可動フード３Ｃを配置するとともに、可動フード３Ｃに対して相対回転かつ一体移動可能なナット部３Ｄを連結して設けてあり、シートベース３Ａの竿尻端部分にナット部３Ｄを螺進移動させる大径ネジ部３Ｅを形成してある。
【００２０】
図１（イ）（ロ）に示すように、元竿１におけるリールシート３を挟んで竿先側の竿先側部分と竿尻側の竿尻側部分とにネジ部１Ａ、１Ａを形成してあり、そのネジ部１Ａ、１Ａに夫々バランスウエイト５，５を螺着してあり、人為操作によって、バランスウエイト５，５を竿軸線方向に沿って移動調節自在に構成してある。
シートベース３Ａの前記ナット部３Ｄ用の大径ネジ部３Ｅを角ネジまたは台形ネジに形成し、元竿１自体に形成するネジとしては、通常使用されるピッチの細かいメートル細目ネジで代表される三角ネジを使用し、バランスウエイト５，５の緩み移動を少ないものに形成する。
【００２１】
前記した竿素材２に形成するネジ部１Ａ、１Ａとしては、リールシート３を挟んで竿尻側に位置する竿尻側部分と竿先側に位置する竿先側部分とにのみ形成する。
以上のような構成になる二つのバランスウエイト５，５を、独立して調節移動することによって、リールシート３を支点位置とする竿尻側部分と竿先側部分とのバランスを確保するように構成してある。
【００２２】
図には示していないが、リールシート３の竿尻側に形成したネジ部１Ａを竿尻端まで形成し、その竿尻端に後グリップ４を螺着して、後グリップ４を竿軸線方向に移動可能に構成して、バランスウエイトとして機能させるように構成してもよい。
【００２３】
〔第２実施形態〕
第１実施形態と異なる部分について主として説明する。第１実施形態では、可動フード３Ｃのナット部３Ｄを螺進移動させる大径ネジ部３Ｅはシートベース３Ａに形成し、バランスウエイト５，５を移動させるネジ部１Ａは竿素材２に形成し、ネジ部として形成対象を別個のものに設定しているが、この第２実施形態では、両ネジ部を竿素材２に形成したネジ部１Ａで兼用する。
【００２４】
図２に示すように、シートベース３Ａに取り付けていた可動フード３Ｃとナット部３Ｄを分離する。シートベース３Ａを竿素材２に取り付けるとともに、その竿先側の竿先側部分と竿尻側の竿尻側部分とにネジ部１Ａ、１Ａを形成する。第１実施形態では、ネジ部１Ａ、１Ａとしては、三角ネジを使用したが、ここでは、ナット部３Ｄ用でもあるので、図２に示すように、ネジピッチの大きな台形ネジの先端角部分に丸みをつけて半円形ネジとし、この半円形ネジ部分を釣り操作時に握っても手の掌等に傷みを感じないように構成する。
【００２５】
可動フード３Ｃとナット部３Ｄとをネジ部１Ａ、１Ａに対して外嵌し、ナット部３Ｄをネジ部１Ａに螺合させる。このような構成によって、バランスウエイト５のみならずナット部３Ｄをもネジ部上を移動させることができる。
ネジ部１Ａ、１Ａとしては、リールシート３Ａを挟んで竿先側と竿尻側とにネジ部１Ａを作り分けているが、リールシート３Ａの装着部分にもネジ部１Ａを形成してもよい。そうすると、リールシート３Ａの取り付け位置が竿軸線方向において任意の位置に取り付けることができる。
【００２６】
〔第３実施形態〕
バランスウエイト５の螺進移動を可能にしながらそのバランスウエイト５が調節された後釣り操作を受けても、動き難いものとする点が、この実施形態で示す態様である。図１に示すように、可動フード３Ｃとしては、リールシート３に装着する為に、第１実施形態と同様に、シートベース３Ａに大径ネジ部３Ｅを形成し、その大径ネジ部３Ｅに可動フード用のナット部３Ｄを螺着する。
【００２７】
一方、竿素材２におけるシートベース３Ａの竿先側の竿先側部分と竿尻側の竿尻側部分とにネジ部１Ａ、１Ａを形成するとともに、図３（イ）に示すように、そのネジ部１Ａ、１Ａの表面に、そのネジ部１Ａ、１Ａの表面に比べて摩擦係数の大きな部材９をそのネジ部１Ａの形状に沿った状態で被覆する。ここに摩擦係数の大きな部材９としては、樹脂材料に比べて摩擦係数の大きなゴム等を使用する。このゴムコーティング材９としてネジ部１Ａの形状に沿った状態で液状ゴム材を、吹き付け、塗布等によって被覆する。
この構成によって、ネジ部１Ａ、１Ａの移動抵抗が大きくなる。
【００２８】
上記実施形態では、ネジ部１Ａにゴムコーティングを施す形態を説明したが、反対に、図３（ロ）に示すように、バランスウエイト５の軸芯位置に形成したネジ孔部５Ａにゴムコーティング材９をほどこしてもよい。そうすると、コーティングを施す部分がシートベース３Ａに形成したネジ部１Ａに比べてバランスウエイト５の短い幅に限定されるので、コーティング施工が容易になる。
【００２９】
〔第４実施形態〕
ネジ部１Ａの摩擦係数を大きなものとする方法として、第３実施形態として、竿素材２の表面に形成したネジ部１Ａに対してコーティング材９を被覆する構成を提示した。ここでは、ネジ部１Ａ自体をコーティング材９と同じ摩擦係数の高い部材で別体として構成することとする。
図４に示すように、ゴムや樹脂等の摩擦係数の高い材料で筒状体６を形成し、筒状体６の外周面にバランスウエイト５の取付用ネジ部６Ａを刻設する。筒状体６の内周面６Ｂは円形面とする。
【００３０】
図４に示すように、竿素材２におけるネジ部形成位置においては、円形断面の外周面２Ａに形成し、前記筒状体６を外嵌して接着固定するようにする。これによって、竿素材２の所定位置にネジ部６Ａを形成することができ、バランスウエイト５を装着して、調節位置が移動し難い構成とすることができる。
【００３１】
〔第５実施形態〕
この第５実施形態においては、機械的構成の採用により、バランスウエイト５の調節位置を移動し難いものとする。図５に示すように、バランスウエイト５の半径方向に沿って取付用孔５Ｃを形成するとともに、取付用孔５Ｃ内にスプリングボール機構１０を設置し、対応する竿素材２の外周面にスプリングボール機構１０のボールと係合する係合環状溝２ａを形成する。
【００３２】
上記のような構成によって、バランスウエイト５にスプリングボール機構１０との係合力を越える操作力を加えてバランスウエイト５を移動させると、調節位置を変更でき、ボールと係合環状溝２ａとが合致した位置で位置保持させることができる。
【００３３】
〔別実施形態〕
（１）  リールシート３を基準に竿先側に位置するバランスウエイト５と竿尻側に位置するバランスウエイト５とは、必要とするバランス量に応じて重さを変更することができる。ただし、バランスウエイト５は元竿１の外周面に装着するものである為に形状としては、できるだけ小さくするのが望ましい。したがって、バランスウエイト５としては、比重の大きな金属が使用し易い。
（２）  バランスウエイト５を設ける対象として元竿１を選定したが、元竿１とともに中竿等の他の竿体に設けてもよい。
【図面の簡単な説明】
【００３４】
【図１】元竿にバランスウエイトを装着した状態を示し、（イ）は側面図、（ロ）はリールシートとバランスウエイトの取付状態を示す縦断側面図
【図２】バランスウエイトと可動フードのナット部とを同一のネジ部に螺合した第２実施形態を示す縦断側面図
【図３】（イ）はネジ部にコーティングした第３実施形態を示す縦断側面図、（ロ）は、バランスウエイトのネジ部にコーティングした第３実施形態を示す縦断側面図
【図４】筒状体にネジ部を形成して元竿の所定位置に装着する前の第４実施形態を示す側面図
【図５】バランスウエイトと竿素材との間にスプリングボール機構を設けた縦断側面図
【符号の説明】
【００３５】
１            元竿
３            リールシート
５            バランスウエイト
６            筒状体
９            摩擦係数の大きな部材
１０          位置決め機構
【図１】
2007159446.tif 000003
【図２】
2007159446.tif 000004
【図３】
2007159446.tif 000005
【図４】
2007159446.tif 000006
【図５】
2007159446.tif 000007